(57)【要約】【課題】スライドツマミがリモコンの筐体から離脱するのを防ぐことができる構成を、小型でかつ少ない部品点数で実現する。【解決手段】案内孔１１及び１２が形成されている筐体１ａと、案内孔１１及び１２に沿って第１及び第２の位置間をスライド可能に配されているとともに爪部２１が形成されているスライドツマミ２とを備え、案内孔１１及び１２は爪部２１を弾性変形させながら着脱可能な開口幅を有するスライドスイッチ装置であって、案内孔１１及び１２の少なくとも両端に、開口幅が他の部分より狭く、爪部２１と案内孔１１及び１２との係合状態が解除されないように爪部２１の弾性変形を規制する平坦部１１ａ、１１ｂ、１２ａ、１２ｂを備え、スライドツマミ２が第１または第２の位置に到達した時に、爪部２１が平坦部によって弾性変形が規制されるように構成されている。【選択図】図３Ａ
2008059929.tif 000002
【特許請求の範囲】
【請求項１】
案内孔が形成されている筐体と、
前記案内孔に沿って第１の位置と第２の位置との間をスライド可能に配されているとともに、スライド方向に略直交する方向に弾性変形可能であり前記案内孔に係合される爪部が形成されているスライドツマミと、
前記スライドツマミに係合され、前記スライドツマミのスライド動作に伴って切り換え操作されるスイッチ素子とを備え、
前記案内孔は、前記爪部を弾性変形させながら着脱可能な開口幅を有する、
スライドスイッチ装置であって、
前記案内孔の少なくとも両端に、開口幅が他の部分より狭く、前記爪部と前記案内孔との係合状態が解除されないように前記爪部の弾性変形を規制する規制部を備え、
前記スライドツマミが前記第１の位置または前記第２の位置に到達した時に、前記爪部が前記規制部によって弾性変形が規制されるように構成されていることを特徴とするスライドスイッチ装置。
【請求項２】
前記規制部は、
前記案内孔の一方の端部に形成されている第１の規制部と、
前記案内孔の他方の端部に形成されている第２の規制部と、
前記第１の規制部と前記第２の規制部との間に形成されている第３の規制部とから構成され、
前記案内孔は、
前記第１の規制部と前記第３の規制部との間、または前記第２の規制部と前記第３の規制部との間のうち、少なくともいずれか一方に、前記爪部を弾性変形させながら前記案内孔に対して着脱可能な開口幅を有する幅広部を備えた、
請求項１記載のスライドスイッチ装置。
【請求項３】
電子機器を遠隔操作可能であるとともに、スライド操作が可能なスライドスイッチ装置が搭載されているリモートコントロール装置であって、
前記スライドスイッチ装置は、
案内孔が形成されている筐体と、
前記案内孔に沿って第１の位置と第２の位置との間をスライド可能に配されているとともに、スライド方向に略直交する方向に弾性変形可能であり前記案内孔に係合される爪部が形成されているスライドツマミと、
前記スライドツマミに係合され、前記スライドツマミのスライド動作に伴って切り換え操作されるスイッチ素子とを備え、
前記案内孔は、前記爪部を弾性変形させながら着脱可能な開口幅を有し、
前記案内孔の少なくとも両端に、開口幅が他の部分より狭く、前記爪部と前記案内孔との係合状態が解除されないように前記爪部の弾性変形を規制する規制部を備え、
前記スライドツマミが前記第１の位置または前記第２の位置に到達した時に、前記爪部が前記規制部によって弾性変形が規制されるように構成されていることを特徴とするリモートコントロール装置。
【発明の詳細な説明】
【技術分野】
【０００１】
本発明は、スライド操作することで機能の切り換えなどを行うことができるスライドスイッチ装置に関する。また、そのようなスライドスイッチ装置を備えたリモートコントロール装置に関する
【背景技術】
【０００２】
近年、急激に普及してきている携帯型オーディオプレーヤー（以下、プレーヤーと称する）には、使用者が耳に装着して音楽を聴くためのヘッドホンのケーブルに、プレーヤーを遠隔操作可能なリモコンが搭載されていることが多い。特に、半導体メモリーに記録された音楽データを再生することができる携帯型オーディオプレーヤーは、プレーヤー本体の大きさが小さいため、それに付属されるリモコンはさらに小型化することが求められている。
【０００３】
また、プレーヤーに付属されているリモコンには、操作ボタンの他、スライド式の操作スイッチが搭載されていることが多い。スライドスイッチは、一般的に２接点以上のスイッチ素子を備え、各種機能のオン／オフ切り換え操作や、モード選択操作などによく使われている。このように、スライドスイッチを搭載することで、複数の機能を割り当てることができ、操作ボタン等の数を減らせることができるので、リモコンを小型化することができる。
【０００４】
以下、スライドスイッチが搭載されているリモコンの一例について説明する。
【０００５】
図９は、スライドスイッチ装置が搭載されているリモコンユニットの外観を示す斜視図である。本構成では、スライドスイッチ装置を搭載したリモコンユニットを一例として挙げている。
【０００６】
図９において、リモコンユニット１０１は、例えばプレーヤー本体に接続可能なヘッドホンユニットのケーブルの中間部分に配され、プレーヤー本体に対する各種操作を行うことができる。リモコンユニット１０１は、第１の筐体１０１ａと第２の筐体１０１ｂとで外郭が覆われている。第１の筐体１０１ａの表面上には、略小判形の凹部１０１ｃが形成されている。凹部１０１ｃには、矢印Ａまたはその逆方向へ摺動自在なスライドツマミ１０２が配されている。また、第２の筐体１０１ｂには、スライドツマミ１０２によってスイッチング操作されるスイッチ素子や各種電気回路基板（不図示）が配されている。また、本構成のリモコンユニット１０１は、ヘッドホンユニットのケーブルの途中に配されているため、リモコンユニット１０１の長手方向両端には、制御信号や音声信号などを伝送可能な左側ケーブル１０４ａ及び右側ケーブル１０４ｂが配されている。
【０００７】
左側ケーブル１０４ａ及び右側ケーブル１０４ｂは、音声信号を伝送可能な信号線が内蔵されている。さらに、右側ケーブル１０４ｂは、制御信号を伝送可能な信号線が内蔵されている。図１における左側ケーブル１０４ａがヘッドホンスピーカーに接続され、右側ケーブル１０４ｂがプレーヤー本体へ接続されている。
【０００８】
スライドツマミ１０２は、略小判形状に形成されている。スライドツマミ１０２の長手方向の長さ寸法は、少なくとも凹部１０１ｃの長手方向の長さよりも短く形成され、凹部１０１ｃの範囲内でスライド可能となっている。また、スライドツマミ１０２は、例えば第１の位置、第２の位置、第３の位置の３カ所にスライド操作が可能に構成されている。第１の位置とは、図９に示す位置であり、スライドツマミ１０２の図示右端部が凹部１０１ｃの図示右端部に当接あるいは近接する位置のことである。第２の位置とは、図９に示す、第１の位置から矢印Ａ方向へスライドさせ、スライドツマミ１０２の図示左端部が凹部１０１ｃの図示左端部に当接あるいは近接する位置のことである。第３の位置とは、第１の位置と第２の位置との間の位置であり、スライドツマミ１０２が凹部１０１ｃの長手方向の略中央に位置する状態である。したがって、スライドツマミ１０２が第１から第３の位置のうちのいずれにあっても、凹部１０１ｃの一部は常に露出した状態となる。
【０００９】
図９において、スライドツマミ１０２が第１から第３の位置のいずれの位置にあっても、凹部１０１ｃは常に外部に露出した状態となり、凹部１０１ｃとスライドツマミ１０２との間は常に隙間が生じる。したがって、スライドツマミ１０２の端部１０２ａに指や衣服が引っ掛かりやすくなるため、スライドツマミ１０２が矢印Ｂに示す方向へ外れてしまう可能性がある。
【００１０】
このようなスライドツマミの離脱を防止する構成が、例えば特許文献１または２に開示されている。
【特許文献１】特開平９−１３９１５２号公報
【特許文献２】特開平１１−１６３５５５号公報
【発明の開示】
【発明が解決しようとする課題】
【００１１】
しかしながら特許文献１または２に開示されている構成では、たしかにスライドツマミがリモコンの筐体から離脱するのを防ぐことができるが、リモコン本体を小型化することができないとともに、部品点数を削減することができないという問題点があった。
【００１２】
例えば、特許文献１に開示されている構成では、操作ツマミを有するフランジ部が筐体ケースから離脱するのを防ぐために、フランジ部の裏面に設けられた弾性部材で筐体ケースの一部を挟み込む構成を採用している。したがって、弾性部材を配するためのスペースが必要となるとともに、部品点数が多くなってしまう。
【００１３】
また、特許文献２に開示されている構成では、スライドツマミの脱落を防止するために、ストッパを設け、筐体カバーとストッパとでスライドツマミを挟む構成を採用している。したがって、ストッパを配するためのスペースが必要となるとともに、部品点数が多くなってしまう。
【００１４】
本発明は、上記問題点に鑑み、スライドツマミがリモコンの筐体から離脱するのを防ぐことができる構成を、小型でかつ少ない部品点数で実現することができるスライドスイッチ装置を提供することを目的とする。また、そのスライドスイッチ装置を備えたリモートコントロール装置を提供することを目的とする。
【課題を解決するための手段】
【００１５】
上記目的を達成するために本発明のスライドスイッチ装置は、案内孔が形成されている筐体と、前記案内孔に沿って第１の位置と第２の位置との間をスライド可能に配されているとともに、スライド方向に略直交する方向に弾性変形可能であり前記案内孔に係合される爪部が形成されているスライドツマミと、前記スライドツマミに係合され、前記スライドツマミのスライド動作に伴って切り換え操作されるスイッチ素子とを備え、前記案内孔は、前記爪部を弾性変形させながら着脱可能な開口幅を有するスライドスイッチ装置であって、前記案内孔の少なくとも両端に、開口幅が他の部分より狭く、前記爪部と前記案内孔との係合状態が解除されないように前記爪部の弾性変形を規制する規制部を備え、前記スライドツマミが前記第１の位置または前記第２の位置に到達した時に、前記爪部が前記規制部によって弾性変形が規制されるように構成されている。
【００１６】
本発明のリモートコントロール装置は、電子機器を遠隔操作可能であるとともに、スライド操作が可能なスライドスイッチ装置が搭載されているリモートコントロール装置であって、前記スライドスイッチ装置は、案内孔が形成されている筐体と、前記案内孔に沿って第１の位置と第２の位置との間をスライド可能に配されているとともに、スライド方向に略直交する方向に弾性変形可能であり前記案内孔に係合される爪部が形成されているスライドツマミと、前記スライドツマミに係合され、前記スライドツマミのスライド動作に伴って切り換え操作されるスイッチ素子とを備え、前記案内孔は、前記爪部を弾性変形させながら着脱可能な開口幅を有し、前記案内孔の少なくとも両端に、開口幅が他の部分より狭く、前記爪部と前記案内孔との係合状態が解除されないように前記爪部の弾性変形を規制する規制部を備え、前記スライドツマミが前記第１の位置または前記第２の位置に到達した時に、前記爪部が前記規制部によって弾性変形が規制されるように構成されている。
【発明の効果】
【００１７】
本発明によれば、スライドツマミが筐体から脱落するのを防止する構成を、少ない部品点数でかつ低コストに実現することができる。
【発明を実施するための最良の形態】
【００１８】
本発明のスライドスイッチ装置は、前記規制部は、前記案内孔の一方の端部に形成されている第１の規制部と、前記案内孔の他方の端部に形成されている第２の規制部と、前記第１の規制部と前記第２の規制部との間に形成されている第３の規制部とから構成され、前記案内孔は、前記第１の規制部と前記第３の規制部との間、または前記第２の規制部と前記第３の規制部との間のうち、少なくともいずれか一方に、前記爪部を弾性変形させながら前記案内孔に対して着脱可能な開口幅を有する幅広部を備えた構成とすることができる。この構成により、３接点以上のスイッチ素子を搭載したスライドスイッチ装置においても、スライドツマミの脱落を防止することができる。
【００１９】
（実施の形態１）
図１は。実施の形態１におけるスライドスイッチ装置が搭載されているリモコンユニットの外観を示す斜視図である。本実施の形態では、スライドスイッチ装置を搭載した機器の一例としてリモコンユニットを挙げているが、少なくともスライドスイッチ装置を搭載可能な機器であれば、リモコンユニット以外の電子機器（例えば、プレーヤー本体）にも搭載可能である。
【００２０】
図１において、リモコンユニット１は、本実施の形態ではプレーヤー本体に接続可能なヘッドホンユニットのケーブルの中間部分に配され、プレーヤー本体に対して各種命令をするための操作を行うことができる。リモコンユニット１は、第１の筐体１ａと第２の筐体１ｂとで外郭が覆われている。第１の筐体１ａの表面上には、略小判形の凹部１ｃが形成されている。凹部１ｃには、矢印Ａまたはその逆方向へ摺動自在なスライドツマミ２が配されている。また、第２の筐体１ｂには、スライドツマミ２によってスイッチング操作されるスイッチ素子３（後述）や、各種電気回路基板（不図示）が配されている。また、本実施の形態のリモコンユニット１は、ヘッドホンユニットのケーブルの途中に配されている。ケーブルは、左側ケーブル４ａと右側ケーブル４ｂとから構成されている。
【００２１】
左側ケーブル４ａ及び右側ケーブル４ｂは、音声信号を伝送可能な信号線が内蔵されている。さらに、右側ケーブル４ｂは、リモコンユニット１からプレーヤー本体に出力される制御信号を伝送可能な、信号線が内蔵されている。本実施の形態では、図１における左側ケーブル４ａがヘッドホンスピーカーに接続され、右側ケーブル４ｂがプレーヤー本体へ接続されている。なお、ケーブル４ａ及び４ｂは、リモコンユニット２の長手方向両端に限らず、他の位置に配してもよい。また、リモコンユニット１とプレーヤー本体との間の信号伝送を無線で行う構成においては、ケーブル４ａ及び４ｂを省略することができる。
【００２２】
スライドツマミ２は、略小判形状に形成されている。スライドツマミ２の長手方向の長さ寸法は、少なくとも凹部１ｃの長手方向の長さよりも短く形成されている。スライドツマミ２は、本実施の形態では第１の位置、第２の位置、第３の位置の３カ所にスライド操作が可能に構成されている。第１の位置とは、図１に示す位置であり、スライドツマミ２の図示右端部が凹部１ｃの図示右端部に当接あるいは近接する位置である。第２の位置とは、図１に示す第１の位置から矢印Ａ方向へスライドさせ、スライドツマミ２の図示左端部が凹部１ｃの図示左端部に当接あるいは近接する位置である。第３の位置とは、第１の位置と第２の位置との間の位置であり、スライドツマミ２が凹部１ｃの長手方向の略中央に位置する状態である。なお、スライドツマミ２の上面に、使用者が指でスライド操作をしやすいように、指の先端にフィットする凹部や、指の滑りを軽減させる複数の凹凸を形成することができる。また、スライドツマミ２の上面や第１の筐体１ａの上面における、スライドツマミ２のスライド位置に対応した部位に、機能名などを表記することができる。
【００２３】
図２は、第１の筐体１ａの内側斜視図であり、第１の筐体１ａの内側が見えるアングルで描画している。また、図２に示す第１の筐体１ａには、スライドツマミ２が保持されている。また、図３Ａは、第１の筐体１ａの内側におけるスライドツマミ２が装着される部位の要部平面図である。図３Ｂは、図３ＡにおけるＺ−Ｚ部分の断面図である。
【００２４】
図２及び図３において、第１の筐体１ａには、第１の案内孔１１、第２の案内孔１２、案内孔１４および摺動部１３が形成されている。また、スライドツマミ２には、爪部２１および突起２２が形成されている。また、図３Ａにおいて、スイッチ素子３を仮装線で示した。
【００２５】
第１の案内孔１１及び第２の案内孔１２は、互いに対称形状に形成されている。また、第１の案内孔１１及び第２の案内孔１２は、スライドツマミ２をスライド自在に保持させることが可能である。また、第１の案内孔１１及び第２の案内孔１２は、第１の筐体１ａに形成されている凹部１ｃ（図１参照）の底面から、第１の筐体１ａの内面まで貫通して形成されている。また、第１の案内孔１１及び第２の案内孔１２は、互いに対称な形状に形成されている。
【００２６】
また、第１の案内孔１１には、第１の平坦部１１ａ（第１の規制部）、第２の平坦部１１ｂ（第２の規制部）、第１の三角突起１１ｃ（第３の規制部）、第１の凹部１１ｄ（幅広部）、第２の凹部１１ｅ（幅広部）、および第３の平坦部１１ｆが形成されている。第１の平坦部１１ａ及び第２の平坦部１１ｂと第３の平坦部１１ｆとは、略平行に形成されている。第１の平坦部１１ａ及び第２の平坦部１１ｂは、それぞれ第１の案内孔１１における両端部に形成され、第１の案内孔１１の長手方向に対して略平行な平坦面を有している。第１の三角突起１１ｃは、第１の案内孔１１の長手方向略中央に形成され、第１の案内孔１１の内側に向かって突出するように形成されている。なお、第１の案内孔１１において、第１の平坦部１１ａと第３の平坦部１１ｆとの間隙の幅寸法と、第２の平坦部１１ｂと第３の平坦部１１ｆとの間隙の幅寸法と、第１の三角突起１１ｃの頂部と第３の平坦部１１ｆとの間隙の幅寸法とは、いずれも同じ寸法Ｗ３である。第１の凹部１１ｄは、第１の平坦部１１ａと第１の三角突起１１ｃとの間に形成されている。第２の凹部１１ｅは、第２の平坦部１１ｂと第１の三角突起１１ｃとの間に形成されている。また、第１の凹部１１ｄと第２の凹部１１ｅとのピッチは、第１の案内孔１１に係合される爪部２１のピッチと、ほぼ同等である。したがって、スライドツマミ２が図３Ａに示す位置にある時は、第１の凹部１１ｄ及び第２の凹部１１ｅと爪部２１とは互いに対向する位置にある。また、第１の凹部１１ｄ及び第２の凹部１１ｅは、第１の凹部１１ｄと第３の平坦部１１ｆとの間隙の幅寸法をＷ４（第２の凹部１１ｅと第３の平坦部１１ｆとの間隙の幅寸法も同寸）、爪部２１の幅寸法をＤ１、爪部２１において摺動部１３に係合している部分（係り代）の幅寸法をＷ１とした時、
（Ｄ１＋Ｗ１）＜Ｗ４  ・・・（数式１）
の関係が成り立つように形成されている。これにより、図３Ａに示すように、爪部２１が第１の凹部１１ｄ及び第２の凹部１１ｅに対向する位置にある時、爪部２１と第１の凹部１１ｄ及び第２の凹部１１ｅとの間に、爪部２１を図３Ｂに示す矢印Ｃ方向へ弾性変形可能な空間を確保することができる。
【００２７】
また、第２の案内孔１２には、第４の平坦部１２ａ（第１の平坦部）、第５の平坦部１２ｂ（第２の平坦部）、第２の三角突起１２ｃ（第３の平坦部）、第３の凹部１２ｄ（幅広部）、第４の凹部１２ｅ（幅広部）、および第６の平坦部１２ｆが形成されている。第４の平坦部１２ａ及び第５の平坦部１２ｂと第６の平坦部１２ｆとは、略平行に形成されている。第４の平坦部１２ａ及び第５の平坦部１２ｂは、それぞれ第２の案内孔１２における両端部に形成され、第２の案内孔１２の長手方向に対して略平行な平坦面を有している。第２の三角突起１２ｃは、第２の案内孔１２の長手方向略中央に形成され、第２の案内孔１２の内側に向かって突出するように形成されている。なお、第２の案内孔１２において、第４の平坦部１２ａと第６の平坦部１２ｆとの間隙の幅寸法と、第５の平坦部１２ｂと第６の平坦部１２ｆとの間隙の幅寸法と、第２の三角突起１２ｃの頂部と第６の平坦部１２ｆとの間隙の幅寸法とは、第１の案内孔１１と第２の案内孔１２とが対称形状であるため、第１の案内孔１１における寸法Ｗ３と同じである。第４の凹部１２ｄは、第５の平坦部１２ａと第２の三角突起１２ｃとの間に形成されている。第３の凹部１２ｅは、第５の平坦部１２ｂと第２の三角突起１２ｃとの間に形成されている。また、第３の凹部１２ｄと第４の凹部１２ｅとのピッチは、第２の案内孔１２に係合される爪部２１のピッチと、ほぼ同等である。したがって、スライドツマミ２が図３Ａに示す位置にある時は、第３の凹部１２ｄ及び第４の凹部１２ｅと爪部２１とは互いに対向する位置にある。また、第３の凹部１２ｄ及び第４の凹部１２ｅは、第１の案内孔１１と第２の案内孔１２とが対称形状となっているため、上記数式１の関係が成り立つように形成されている。これにより、図３Ａに示すように、爪部２１が第３の凹部１２ｄ及び第４の凹部１２ｅに対向する位置にある時、爪部２１と第３の凹部１２ｄ及び第４の凹部１２ｅとの間に、爪部２１を図３Ｂに示す矢印Ｃ方向へ弾性変形可能な空間を確保することができる。
【００２８】
案内孔１４は、その長手方向がスライドツマミ２のスライド方向と略一致するように形成されている。また、案内孔１４は、スライドツマミ２の裏面に形成されている突起２２が移動可能に嵌合され、スライドツマミ２のスライド動作をガイドすることができる。
【００２９】
爪部２１は、第１の爪部２１ａ、第２の爪部２１ｂ、第３の爪部２１ｃ、第４の爪部２１ｄ、および凹部２１ｅを備えている。爪部２１は、スライドツマミ２の裏面に形成されている。また、第１〜第４の爪部２１ａ〜２１ｄは、図３Ｂに示す矢印Ｃ方向またはその逆方向へ弾性変形可能に形成されている。また、第１の爪部２１ａ及び第２の爪部２１ｂは、第１の案内孔１１に係合される。また、第３の爪部２１ｃ及び第４の爪部２１ｄは、第２の案内孔１２に係合される。凹部２１ｅは、本実施の形態では少なくとも第１の爪部２１ａと第２の爪部２１ｂとの間に形成されている。凹部２１ａには、スイッチ素子３の操作レバー３ａ（図４参照）が嵌合される。
【００３０】
突起２２は、スライドツマミ２の裏面において、略円柱状に形成されている。突起２２は、案内孔１４に嵌合し、スライドツマミ２のスライド動作に伴って案内孔１４内を摺動することにより、スライドツマミ２のガタツキを低減させている。
【００３１】
次に、スライドスイッチ装置、およびそれを備えたリモコンユニットの組立方法について説明する。
【００３２】
まず、図３Ａにおいて、スライドツマミ２の爪部２１を、第１の筐体１ａの表面側から第１の案内孔１１及び第２の案内孔１２に係合させる。すなわち、図３Ａに示すように、スライドツマミ２の裏面に形成されている第１の爪部２１ａを第１の凹部１１ｄに位置合わせし、第２の爪部２１ｂを第２の凹部１１ｅに位置合わせし、第３の爪部２１ｃを第３の凹部１２ｄに位置合わせし、第４の爪部２１ｄを第４の凹部１２ｅに位置合わせする。次に、第１の爪部２１ａ及び第２の爪部２１ｂを第１の案内孔１１に挿入係合させ、第３の爪部２１ｃ及び第４の爪部２１ｄを第２の案内孔１２に挿入係合させる。この時、図３Ｂに示すように、爪部２１の先端間の距離Ｈ１は、第３の平坦部１１ｆ及び第６の平坦部１２ｆ間の距離Ｈ２よりも大きいため、第１〜第４の爪部２１ａ〜２１ｄを第１の案内孔１１及び第２の案内孔１２に係合させる際、第１〜第４の爪部２１ａ〜２１ｄを矢印Ｃ方向へ弾性変形させながら係合させる。
【００３３】
なお、爪部２１と摺動部１３の係り代の幅寸法Ｗ１と、第４の爪部２１ｄと第４の凹部１２ｅとの間の間隙の幅寸法Ｗ２とは、
Ｗ１＜Ｗ２  ・・・（数式２）
の関係にあるため、第４の爪部２１ｄを第２の案内孔１２に係合可能な変形量まで弾性変形させることができる。なお、第１の凹部１１ｄと第１の爪部２１ａの間隙、第２の凹部１１ｅと第２の爪部２１ｂとの間隙、第３の凹部１２ｄと第３の爪部２１ｃとの間隙も、それぞれＷ２と同寸である。
【００３４】
さらに、スライドツマミ２の裏面が凹部１ｃの底面に当接あるいは近接するまで、第１〜第４の爪部２１ａ〜２１ｄを第１の案内孔１１及び第２の案内孔１２に挿入させると、第１〜第４の爪部２１ａ〜２１ｄは弾性復帰し、各爪部の先端に形成されている係合部２１ｆが摺動部１３に投影面上重なるように位置する。これにより、第１〜第４の爪部２１ａ〜２１ｄは、離脱方向への移動が規制される。
【００３５】
以上により、スライドツマミ２は、第１の筐体１ａの凹部１ｃ内へ装着される。
【００３６】
次に、スライドツマミ２が装着されている第１の筐体１ａを、第２の筐体１ｂに装着させる。この時、スライドツマミ２を図３Ａに示す第３の位置に配置しておき、第２の筐体１ｂに配されているスイッチ素子３の操作レバー３ａを中央に位置させておくことで、第１の筐体１ａを第２の筐体１ｂに装着した時に、操作レバー３ａが凹部２１ｅに嵌合される。これにより、リモコンユニットの組み立てが完了する。
【００３７】
次に、スライドスイッチ装置の動作について説明する。
【００３８】
本実施の形態では、３接点切換式のスイッチ素子３を用いているため、スライドツマミ２のスライド位置は３カ所（第１〜第３の位置）である。図３Ａは第３の位置、図４は第１の位置、図５は第２の位置をそれぞれ示している。
【００３９】
まず、スライドツマミ２を、図４に示す第１の位置へスライドさせると、第１の爪部２１ａは、第１の平坦部１１ａと第３の平坦部１１ｆとで挟まれる位置へ移動する。第２の爪部２１ｂは、第１の三角突起１１ｃと第３の平坦部１１ｆとで挟まれる位置へ移動する。第３の爪部２１ｃは、第４の平坦部１２ａと第６の平坦部１２ｆとで挟まれる位置へ移動する。第４の爪部２１ｄは、第２の三角突起１２ｃと第６の平坦部１２ｆとで挟まれる位置へ移動する。
【００４０】
この時、第３の爪部２１ｃと第４の平坦部１２ａとの隙間をＷ７、第４の爪部２１ｄと第２の三角突起１２ｃとの隙間をＷ８、第３の爪部２１ｃまたは第４の爪部２１ｄと摺動部１３との係り代をＷ１とした時、
Ｗ７＜Ｗ１  ・・・（数式３）
Ｗ８＜Ｗ１  ・・・（数式４）
の関係にある。なお、第１の爪部２１ａと第１の平坦部１１ａとの隙間と、第１の爪部２１ａまたは第２の爪部２１ｂと摺動部１３との係り代とは、数式３と同様な関係にある。また、第２の爪部２１ｂと第１の三角突起１１ｃとの隙間と、第１の爪部２１ａまたは第２の爪部２１ｂと摺動部１３との係り代とは、数式４と同様な関係にある。
【００４１】
したがって、第３の爪部２１ｃ及び第４の爪部２１ｄは、図３Ｂに示す矢印Ｃ方向への大きく弾性変形せず、第１の案内孔１１及び第２の案内孔１２との係合が外れない状態となっている。すなわち、図４に示す状態において、第３の爪部２１ｃ及び第４の爪部２１ｄを弾性変形させると、第３の爪部２１ｃは第４の平坦部１２ａに当接し、第４の爪部２１ｄは第２の三角突起１２ｃに当接し、それ以上の弾性変形ができない。この時、第３の爪部２１ｃ及び第４の爪部２１ｄは、数式３及び４の関係があるため、摺動部１３に対する係り代が存在している。よって、第３の爪部２１ｃ及び第４の爪部２１ｄと第２の案内孔１２との係合状態を解除するのが、困難あるいは不可能な状態となっている。
【００４２】
なお、第１の爪部２１ａ及び第２の爪部２１ｂも同様であり、図３Ｂにおける矢印Ｃ方向へ弾性変形させたとしても、第１の爪部２１ａが第１の平坦部１１ａに当接し、第２の爪部２１ｂが第１の三角突起１１ｃに当接する。この時、第１の爪部２１ａ及び第２の爪部２１ｂは、数式３及び４と同様の関係があるため、摺動部１３に対する係り代が存在している。よって、第１の爪部２１ａ及び第２の爪部２１ｂと第１の案内孔１１との係合状態を解除するのが、困難あるいは不可能な状態となっている。
【００４３】
以上のように、スライドツマミ２は、図４に示す第１の位置にある時は、第１の筐体１ａから簡単に外れない状態になっている。
【００４４】
一方、スライドツマミ２を、図５に示す第２の位置へスライドさせると、第１の爪部２１ａは第１の三角突起１１ｃと第３の平坦部１１ｆとで挟まれる位置へ移動する。第２の爪部２１ｂは、第２の平坦部１１ｂと第３の平坦部１１ｆとで挟まれる位置へ移動する。第３の爪部２１ｃは、第２の三角突起１２ｃと第６の平坦部１２ｆとで挟まれる位置へ移動する。第４の爪部２１ｄは、第５の平坦部１２ｂと第６の平坦部１２ｆとで挟まれる位置へ移動する。
【００４５】
この時、第４の爪部２１ｄと第５の平坦部１２ｂとの隙間をＷ９、第３の爪部２１ｃと第２の三角突起１２ｃとの隙間をＷ１０、第３の爪部２１ｃまたは第４の爪部２１ｄと摺動部１３との係り代をＷ１とした時、
Ｗ９＜Ｗ１  ・・・（数式５）
Ｗ１０＜Ｗ１  ・・・（数式６）
の関係にある。なお、第１の爪部２１ａと第１の三角突起１１ｃとの隙間と、第１の爪部２１ａまたは第２の爪部２１ｂと摺動部１３との係り代とは、数式５と同様な関係にある。また、第２の爪部２１ｂと第２の平坦部１１ｂとの隙間と、第１の爪部２１ａまたは第２の爪部２１ｂと摺動部１３との係り代とは、数式６と同様な関係にある。
【００４６】
したがって、第３の爪部２１ｃ及び第４の爪部２１ｄは、図３Ｂに示す矢印Ｃ方向への大きく弾性変形せず、第１の案内孔１１及び第２の案内孔１２との係合が外れない状態となっている。すなわち、図５に示す状態において、第３の爪部２１ｃ及び第４の爪部２１ｄを弾性変形させると、第３の爪部２１ｃは第２の三角突起１２ｃに当接し、第４の爪部２１ｄは第５の平坦部１２ｂに当接して、それ以上の弾性変形ができない。この時、第３の爪部２１ｃ及び第４の爪部２１ｄは、数式５及び６の関係があるため、摺動部１３に対する係り代が存在している。よって、第３の爪部２１ｃ及び第４の爪部２１ｄと第２の案内孔１２との係合状態を解除するのが、困難あるいは不可能な状態となっている。
【００４７】
なお、第１の爪部２１ａ及び第２の爪部２１ｂも同様であり、図３Ｂにおける矢印Ｃ方向へ弾性変形させたとしても、第１の爪部２１ａが第１の三角突起１１ｃに当接し、第２の爪部２１ｂが第２の平坦部１１ｂに当接して、それ以上の弾性変形ができない。この時、第１の爪部２１ａ及び第２の爪部２１ｂは、数式５及び６と同様の関係があるため、摺動部１３に対する係り代が存在している。よって、第１の爪部２１ａ及び第２の爪部２１ｂと第１の案内孔１１との係合状態を解除するのが、困難あるいは不可能な状態となっている。
【００４８】
以上のように、スライドツマミ２は、図５に示す第２の位置にある時、第１の筐体１ａから簡単に外れない状態になっている。
【００４９】
また、スライドツマミ２を、図３Ａに示す第３の位置へスライドさせると、第１の爪部２１ａは第１の凹部１１ｄに対向する位置へ移動し、第２の爪部２１ｂは第２の凹部１１ｅに対向する位置へ移動し、第３の爪部２１ｃは第３の凹部１２ｄに対向する位置へ移動し、第４の爪部２１ｄは第４の凹部１２ｅに対向する位置へ移動する。したがって、平坦部や三角突起が、第１〜第４の爪部２１ａ〜２１ｄの弾性変形を規制可能な位置にないため、第１〜第４の爪部２１ａ〜２１ｄは、図３Ｂに示す矢印Ｃ方向へ大きく弾性変形可能な状態になる。よって、スライドツマミ２に対して矢印Ｂ（図１参照）に示す方向へ引っ張る力が加わった場合、第１の位置や第２の位置にある時に比べて、第１〜第４の爪部２１ａ〜２１ｄが第１の案内孔１１及び第２の案内孔１２から外れる可能性が高く、スライドツマミ２が第１の筐体１ａから離脱する可能性が高い。
【００５０】
しかし、図３Ａに示すように、スライドツマミ２が第３の位置にある時の、凹部１ｃの長手方向端部からスライドツマミ２の長手方向端部までの隙間の幅寸法をＴ１、第１の位置における凹部１ｃの長手方向端部からスライドツマミ２の長手方向端部までの隙間の幅寸法をＴ２（図４参照）、第２の位置における凹部１ｃの長手方向端部からスライドツマミ２の長手方向端部までの隙間の幅寸法をＴ３（図５参照）とした時、
Ｔ１＜Ｔ２  ・・・（数式７）
Ｔ１＜Ｔ３  ・・・（数式８）
（本実施の形態では、Ｔ１≒Ｔ３／２，Ｔ１≒Ｔ２／２）
の関係になる。したがって、スライドスイッチ２が第３の位置にある時は、スライドツマミ２の長手方向端部に、使用者の指や衣服などが誤って引っ掛かる可能性が低く、スライドツマミ２が第１の筐体１ａから離脱する可能性は低い。
【００５１】
以上のように本実施の形態によれば、スライドツマミ２をスライド可能に保持する第１の案内孔１１及び第２の案内孔１２に、第１の平坦部１１ａ、第２の平坦部１１ｂ、第３の平坦部１１ｆ、第１の三角突起１１ｃ、第４の平坦部１２ａ、第５の平坦部１２ｂ、第３の平坦部１２ｆ、及び第２の三角突起１２ｃを形成したことにより、スライドツマミ２が第１の位置または第２の位置にある時、第１〜第４の爪部２１ａ〜２１ｄが第１の案内孔１１及び第２の案内孔１２から容易に外れないようにすることができる。よって、スライドツマミ２に対して離間方向（図１に示す矢印Ｂ方向）に力が加わったとしても、リモコンユニット１から容易に外れてしまうことを防止することができる。
【００５２】
また、スライドツマミ２の離脱を防止する構成を、案内孔の形状を工夫するのみで実現したので、部品点数が増加することもなく、低コストにて実現することができる。
【００５３】
また、第１の凹部１１ｄ、第２の凹部１１ｅ、第３の凹部１２ｄ、第４の凹部１２ｅを形成したことにより、スライドスイッチ装置を組み立てる際、スライドツマミ２を容易に第１の案内孔１１及び第２の案内孔１２に係合させることができ、組立性を向上させることができる。
【００５４】
なお、本実施の形態において、爪部は２対（第１〜第４の爪部２１ａ〜２１ｄ）設けたが、１対以上であれば本発明の効果を得ることができる。
【００５５】
また、三角突起の形状は三角形に限らず、四角形や半円形などその他の形状であってもよい。少なくとも、爪部の弾性変形を規制できる形状であればよい。
【００５６】
また、各案内孔において、両端以外に形成される規制部（本実施の形態における三角突起）は１個に限らず、２個以上設けてもよい。２個以上設けることで、４接点以上のスイッチ素子にも対応させることができる。
【００５７】
（実施の形態２）
次に、実施の形態２におけるスライドスイッチ装置の構成について説明する。なお、図６〜図８は、実施の形態２におけるスライドスイッチ装置の構成を示しているが、前述の実施の形態１における構成と同様の構成要素については、同一番号を付与して詳細説明は省略する。
【００５８】
図６は、実施の形態２におけるスライドスイッチ装置の構成を示す平面図であり、スライドツマミ２が第１の位置にある状態を示している。図７は、スライドツマミ２が第２の位置にある状態を示している。図８は、スライドツマミ２が第３の位置にある状態を示している。
【００５９】
実施の形態２におけるスライドスイッチ装置は、実施の形態１におけるスライドスイッチ装置に比べて、スライドツマミ２を保持している案内孔の形状が異なる。案内孔は、実施の形態１において第１の案内孔と第２の案内孔とに各々独立して形成していたのを、実施の形態２では１つの案内孔３１を形成した。
【００６０】
案内孔３１は、図６に示すように略Ｈ字形状に形成されている。また、案内孔３１は、第１の平坦部３１ａ、第２の平坦部３１ｂ、第３の平坦部３１ｃ、第４の平坦部３１ｄ、第５の平坦部３１ｅ、および第６の平坦部３１ｆが形成されている。第１の平坦部３１ａ、第２の平坦部３１ｂ、および第５の平坦部３１ｅは、第１の爪部２１ａ及び第２の爪部２１ａの移動範囲内に形成されている。また、第３の平坦部３１ｃ、第４の平坦部３１ｄ、及び第６の平坦部３１ｆは、第３の爪部２１ｃ及び第４の爪部２１ｄの移動範囲内に形成されている。また、第１の平坦部３１ａおよび第２の平坦部３１ｂは、第５の平坦部３１ｅの一部に対向しかつ略平行に形成されている。第３の平坦部３１ｃ及び第４の平坦部３１ｄは、第６の平坦部３１ｆの一部に対向し、かつ略平行に形成されている。第５の平坦部３１ｅと第６の平坦部３１ｆとは、互いに略平行に形成されているとともに、互いに一部が対向するように形成されている。なお、規制部は、第１〜第４の平坦部３１ａ〜３１ｄで構成されている。
【００６１】
以下、スライド動作について説明する。
【００６２】
本実施の形態では、３接点切換式のスイッチ素子３を用いているため、スライドツマミ２のスライド位置は３カ所（第１〜第３の位置）である。
【００６３】
まず、スライドツマミ２を、図６に示す第１の位置へスライドさせると、第１の爪部２１ａは第１の平坦部３１ａと第５の平坦部３１ｅとで挟まれる位置へ移動し、第２の爪部２１ｂは第５の平坦部３１ｅのみに対向する位置へ移動し、第３の爪部２１ｃは第３の平坦部３１ｃと第６の平坦部３１ｆとで挟まれる位置へ移動し、第４の爪部２１ｄは第６の平坦部３１ｆのみに対向する位置へ移動する。
【００６４】
この時、第１の爪部２１ａの摺動部１３に対する係り代をＷ１１、第１の爪部２１ａと第１の平坦部３１ａとの隙間をＷ１２、第３の爪部２１ｃの摺動部１３に対する係り代をＷ１３、第３の爪部２１ｃと第３の平坦部３１ｃとの隙間をＷ１４とした時、
ｗ１２＜ｗ１１  ・・・（数式９）
ｗ１４＜ｗ１３  ・・・（数式１０）
の関係にある。
【００６５】
したがって、第１の爪部２１ａ及び第３の爪部２１ｃは大きく弾性変形せず、案内孔３１との係合が容易に外れない状態となっている。すなわち、図６に示す状態において、第１の爪部２１ａ及び第３の爪部２１ｃを弾性変形させると、第１の爪部２１ａは第１の平坦部３１ａに当接し、第３の爪部２１ｃは第３の平坦部３１ｃに当接して、それ以上の弾性変形ができない。この時、第１の爪部２１ａ及び第３の爪部２１ｃは、数式９及び１０の関係があるため、摺動部１３に対する係り代が存在している。よって、第１の爪部２１ａ及び第３の爪部２１ｃと案内孔３１との係合状態を解除するのが、困難あるいは不可能な状態となっている。
【００６６】
以上のように、スライドツマミ２は、図６に示す第１の位置にある時は、第１の筐体１ａから簡単に外れないような状態になっている。
【００６７】
一方、スライドツマミ２を、図７に示す第２の位置へスライドさせると、第１の爪部２１ａは、第５の平坦部３１ｅのみに対向する位置へ移動する。第２の爪部２１ｂは、第２の平坦部３１ｂと第５の平坦部３１ｅとで挟まれる位置へ移動する。第３の爪部２１ｃは、第６の平坦部３１ｆのみに対向する位置へ移動する。第４の爪部２１ｄは、第４の平坦部３１ｄと第６の平坦部３１ｆとで挟まれる位置へ移動する。
【００６８】
この時、第２の爪部２１ｂの摺動部１３に対する係り代をＷ１５、第２の爪部２１ｂと第２の平坦部３１ｂとの隙間をＷ１６、第４の爪部２１ｄの摺動部１３に対する係り代をＷ１７、第４の爪部２１ｄと第４の平坦部３１ｄとの隙間をＷ１８とした時、
Ｗ１６＜Ｗ１５  ・・・（数式１１）
Ｗ１８＜Ｗ１７  ・・・（数式１２）
の関係にある。
【００６９】
したがって、第２の爪部２１ｂ及び第４の爪部２１ｄは、大きく弾性変形せず、案内孔３１との係合が容易に外れない状態となっている。すなわち、図７に示す状態において、第２の爪部２１ｂ及び第４の爪部２１ｄを弾性変形させると、第２の爪部２１ｂは第２の平坦部３１ｂに当接し、第４の爪部２１ｄは第４の平坦部３１ｄに当接して、それ以上の弾性変形ができない。この時、第２の爪部２１ｂ及び第４の爪部２１ｄは、数式１１及び１２の関係があるため、摺動部１３に対する係り代が存在している。よって、第２の爪部２１ｂ及び第４の爪部２１ｄと案内孔３１との係合状態を解除するのが、困難あるいは不可能な状態となっている。
【００７０】
以上のように、スライドツマミ２は、図７に示す第２の位置にある時、第１の筐体１ａから簡単に外れないような状態になっている。
【００７１】
また、スライドツマミ２を、図８に示す第３の位置へスライドさせると、第１の爪部２１ａ及び第２の爪部２１ｂは、第５の平坦部３１ｅのみに対向する位置へ移動する。また、第３の爪部２１ｃ及び第４の爪部２１ｄは、第６の平坦部３１ｆのみに対向する位置へ移動する。したがって、第１〜第４の爪部２１ａ〜２１ｄは、大きく弾性変形可能な状態になる。よって、スライドツマミ２に対して矢印Ｂ（図１参照）に示す方向へ引っ張る力が加わった場合、第１の位置や第２の位置にある時に比べて、第１〜第４の爪部２１ａ〜２１ｄが案内孔３１から外れる可能性が高く、スライドツマミ２が第１の筐体１ａから離脱する可能性が高い。
【００７２】
しかし、図８に示すように、スライドツマミ２が第３の位置にある時の、凹部１ｃの長手方向端部からスライドツマミ２の長手方向端部までの隙間の幅寸法をＴ１１、第１の位置における凹部１ｃの長手方向端部からスライドツマミ２の長手方向端部までの隙間の幅寸法をＴ１２（図６参照）、第２の位置における凹部１ｃの長手方向端部からスライドツマミ２の長手方向端部までの隙間の幅寸法をＴ１３（図７参照）とした時、
Ｔ１１＜Ｔ１２  ・・・（数式１３）
Ｔ１１＜Ｔ１３  ・・・（数式１４）
（本実施の形態では、Ｔ１１≒Ｔ１３／２，Ｔ１１≒Ｔ１２／２）
の関係になる。したがって、スライドスイッチ２が第３の位置にある時は、スライドツマミ２の長手方向端部に、使用者の指や衣服などが誤って引っ掛かる可能性が低く、スライドツマミ２が第１の筐体１ａから離脱する可能性は低い。
【００７３】
以上のように本実施の形態によれば、スライドツマミ２をスライド可能に保持する案内孔３１に、第１の平坦部３１ａ、第２の平坦部３１ｂ、第３の平坦部３１ｃ、第４の平坦部３１ｄ、第５の平坦部３１ｅ、および第６の平坦部３１ｆを形成したことにより、スライドツマミ２が第１の位置の位置にある時、第１の爪部２１ａを第１の平坦部３１ａ及び第５の平坦部３１ｅで挟み、第３の爪部２１ｃを第３の平坦部３１ｃ及び第６の平坦部３１ｆで挟むことができる。よって、第１の爪部２１ａ及び第３の爪部２１ｃが案内孔３１から容易に外れないようにすることができる。また、スライドツマミ２が第２の位置にある時、第２の爪部２１ｂを第２の平坦部３１ｂ及び第５の平坦部３１ｅで挟み、第４の爪部２１ｄを第４の平坦部３１ｄ及び第６の平坦部３１ｆで挟むことができる。よって、第２の爪部２１ｂ及び第４の爪部２１ｄが案内孔３１から容易に外れないようにすることができる。したがって、スライドツマミ２に対して離間方向に力が加わったとしても、リモコンユニット１から容易に外れてしまうことを防止することができる。
【００７４】
また、スライドツマミ２の離脱を防止する構成を、案内孔の形状を工夫するのみで実現したので、部品点数が増加することもなく、大きなコストアップにつながることもない。すなわち、少部品点数、低コストにて実現することができる。
【００７５】
また、各爪部に一つの平坦部のみが対向する第３の位置を設けたことにより、スライドスイッチ装置を組み立てる際、スライドツマミ２を容易に案内孔３１に係合させることができ、組立性を向上させることができる。
【００７６】
なお、本実施の形態では、スライドスイッチ２は、３カ所の位置（第１〜第３の位置）にスライド可能なように構成されているが、電源オン／オフ切り換えのように２カ所の位置にスライド可能な構成でも、４カ所以上の位置にスライド可能な構成であっても、上記構成と同様な構成で実現することができる。
【産業上の利用可能性】
【００７７】
本発明にかかるスライドツマミ取り付け構造は、小型、大型に拘わらず、記録再生装置等の電子機器において、スライドスイッチを必要とするものに対して利用可能である。
【図面の簡単な説明】
【００７８】
【図１】本発明の実施の形態１におけるスライドスイッチ装置が搭載されているリモコンユニットの外観を示す斜視図
【図２】実施の形態１におけるスライドスイッチ装置の斜視図
【図３Ａ】実施の形態１におけるスライドスイッチ装置の平面図（第３の位置）
【図３Ｂ】図３ＡにおけるＺ−Ｚ部分の断面図
【図４】実施の形態１におけるスライドスイッチ装置の平面図（第１の位置）
【図５】実施の形態１におけるスライドスイッチ装置の平面図（第２の位置）
【図６】実施の形態２におけるスライドスイッチ装置の平面図（第１の位置）
【図７】実施の形態２におけるスライドスイッチ装置の平面図（第２の位置）
【図８】実施の形態２におけるスライドスイッチ装置の平面図（第３の位置）
【図９】従来のスライドスイッチ装置が搭載されているリモコンユニットの構成を示す斜視図
【符号の説明】
【００７９】
１  リモコンユニット
１ａ  第１の筐体
１ｂ  第２の筐体
２  スライドツマミ
１１  第１の案内孔
１１ａ  第１の平坦部
１１ｂ  第２の平坦部
１１ｃ  第１の三角突起
１１ｄ  第１の凹部
１１ｅ  第２の凹部
１１ｆ  第３の平坦部
１２  第２の案内孔
１２ａ  第４の平坦部
１２ｂ  第５の平坦部
１２ｃ  第２の三角突起
１２ｄ  第３の凹部
１２ｅ  第４の凹部
１２ｆ  第６の平坦部
２１  爪部
２１ａ  第１の爪部
２１ｂ  第２の爪部
２１ｃ  第３の爪部
２１ｄ  第４の爪部
３１  案内孔
３１ａ  第１の平坦部
３１ｂ  第２の平坦部
３１ｃ  第３の平坦部
３１ｄ  第４の平坦部
３１ｅ  第５の平坦部
３１ｆ  第６の平坦部
【図１】
2008059929.tif 000003
【図２】
2008059929.tif 000004
【図３Ａ】
2008059929.tif 000005
【図３Ｂ】
2008059929.tif 000006
【図４】
2008059929.tif 000007
【図５】
2008059929.tif 000008
【図６】
2008059929.tif 000009
【図７】
2008059929.tif 000010
【図８】
2008059929.tif 000011
【図９】
2008059929.tif 000012